(57)【要約】      （修正有）【課題】有核物質から外層を綺麗に除去して容易に核を取り出すことができる核の取り出し装置及び取り出し方法を提供する。【解決手段】核の取り出し装置１は、核４ａを外層４ｂで包んだ有核物質４から取り出す装置であって、有核物質４を押圧する第１刃部２ａを有し、第１刃部２ａを有核物質４に押圧し、第１刃部２ａを外層４ｂに食い込ませた状態で回転する第１押圧回転部２と、第１押圧回転部２に対向して配置され、有核物質４を押圧する第２刃部３ａを有し、第２刃部３ａを有核物質４に押圧し、第２刃部３ａを外層４ｂに食い込ませた状態で第１押圧回転部２に対して逆方向に回転する第２押圧回転部３と、を備える。【選択図】図１
2017051129.tif 000002
【特許請求の範囲】
【請求項１】
核を外層で包んだ有核物質から前記核を取り出す装置であって、
前記有核物質を押圧する第１刃部を有し、前記第１刃部を前記有核物質に押圧し、前記第１刃部を前記外層に食い込ませた状態で回転する第１押圧回転部と、
前記第１押圧回転部に対向して配置され、前記有核物質を押圧する第２刃部を有し、前記第２刃部を前記有核物質に押圧し、前記第２刃部を前記外層に食い込ませた状態で前記第１押圧回転部に対して逆方向に回転する第２押圧回転部と、
を備える、核の取り出し装置。
【請求項２】
前記第１刃部は、複数の刃を備え、
前記第１刃部における前記複数の刃のそれぞれは、前記第１押圧回転部の回転中心軸から前記第１押圧回転部の外縁に向かって配置されると共に、前記回転中心軸に向かって凹む湾曲部を有し、
前記第２刃部は、複数の刃を備え、
前記第２刃部における前記複数の刃は、前記第２押圧回転部の回転中心軸から前記第２押圧回転部の外縁に向かって配置されると共に、前記回転中心軸に向かって凹む湾曲部を有する、請求項１に記載の核の取り出し装置。
【請求項３】
核を外層で包んだ有核物質から前記核を取り出す方法であって、
第１刃部を有する第１押圧回転部と、前記第１押圧回転部に対向して配置され、第２刃部を有する第２押圧回転部と、によって前記有核物質を押圧する工程、
前記第１刃部を前記有核物質に押圧し、前記第１刃部を前記外層に食い込ませた状態で前記第１押圧回転部を回転させる工程、および
前記第２刃部を前記有核物質に押圧し、前記第２刃部を前記外層に食い込ませた状態で前記第２押圧回転部を、前記第１押圧回転部に対して逆方向に回転させる工程、
を含む、核の取り出し方法。
【発明の詳細な説明】
【技術分野】
【０００１】
本発明は、外層に包まれた核を有する有核物質から核を取り出す装置及び方法に関する。
【背景技術】
【０００２】
有核物質から核を取り出す装置として、有核物質である真珠（屑真珠等）の外面に圧力を付与することによって真珠層を除去して真珠核を取り出す装置が開示されている（例えば、特許文献１参照。）。特許文献１に開示された装置は、一対の挟圧体の間に真珠を挟持し、挟圧体により真珠の外面に圧力を付与している。このような構成により、特許文献１に開示された装置は、真珠の外面に圧力を付与することによって真珠層を割って除去し、真珠核を取り出している。
【０００３】
別の装置として、有核物質である真珠（屑真珠等）の外面に挟圧力及び擦れを与えることによって真珠層を除去して真珠核を取り出す装置が開示されている（例えば、特許文献２参照。）。特許文献２に開示された装置は、滑落受け台と滑落受け台に対して相対回転可能な回転部との間に真珠を挟持し、付勢手段により滑落受け台を回転部に向かって付勢することによって真珠の外面に挟圧力及び擦れを付与している。このような構成により、特許文献２に開示された装置は、真珠の外面に挟圧力及び擦れを与えることによって真珠層を割って除去し、真珠核を取り出している。
【先行技術文献】
【特許文献】
【０００４】
【特許文献１】国際公開第２００５／０１１３７０号
【特許文献２】特開２００６−１９７９０５号公報
【発明の概要】
【発明が解決しようとする課題】
【０００５】
しかしながら、特許文献１に開示された装置では、挟圧体により真珠の外面に局所的に圧力を付与しているため、有核物質の外面の一部に外層が残り、有核物質から外層を綺麗に除去することができない場合があるという課題がある。
【０００６】
また、特許文献２に開示された装置では、有核物質から外層を綺麗に除去するために、有核物質の大きさに応じて煩雑な処理を繰り返す必要があるという課題がある。
【０００７】
本発明は、上記の課題を解決するものであり、有核物質の大きさに関わらず、１回の処理で有核物質から外層を綺麗に除去して核を取り出すことができる核の取り出し装置及び取り出し方法を提供することを目的とする。
【課題を解決するための手段】
【０００８】
本発明の一態様の核の取り出し装置は、核を外層で包んだ有核物質から前記核を取り出す装置であって、前記有核物質を押圧する第１刃部を有し、前記第１刃部を前記有核物質に押圧し、前記第１刃部を前記外層に食い込ませた状態で回転する第１押圧回転部と、前記第１押圧回転部に対向して配置され、前記有核物質を押圧する第２刃部を有し、前記第２刃部を前記有核物質に押圧し、前記第２刃部を前記外層に食い込ませた状態で前記第１押圧回転部に対して逆方向に回転する第２押圧回転部と、を備える。
【０００９】
本発明の一態様の核の取り出し方法は、核を外層で包んだ有核物質から前記核を取り出す方法であって、第１刃部を有する第１押圧回転部と、前記第１押圧回転部に対向して配置され、第２刃部を有する第２押圧回転部と、によって前記有核物質を押圧する工程、前記第１刃部を前記有核物質に押圧し、前記第１刃部を前記外層に食い込ませた状態で前記第１押圧回転部を回転させる工程、および前記第２刃部を前記有核物質に押圧し、前記第２刃部を前記外層に食い込ませた状態で前記第２押圧回転部を、前記第１押圧回転部に対して逆方向に回転させる工程、を含む。
【発明の効果】
【００１０】
本発明によれば、有核物質の大きさに関わらず、１回の処理で有核物質から外層を綺麗に除去して核を取り出すことができる核の取り出し装置及び取り出し方法を提供することができる。
【図面の簡単な説明】
【００１１】
【図１】本発明に係る実施の形態１の核の取り出し装置の概略構成図
【図２Ａ】本発明に係る実施の形態１の核の取り出し方法の押圧工程を示す図
【図２Ｂ】本発明に係る実施の形態１の核の取り出し方法の回転工程を示す図
【図２Ｃ】本発明に係る実施の形態１の核の取り出し方法の取り出し工程を示す図
【発明を実施するための形態】
【００１２】
本発明に係る第１態様の核の取り出し装置は、核を外層で包んだ有核物質から前記核を取り出す装置であって、前記有核物質を押圧する第１刃部を有し、前記第１刃部を前記有核物質に押圧し、前記第１刃部を前記外層に食い込ませた状態で回転する第１押圧回転部と、前記第１押圧回転部に対向して配置され、前記有核物質を押圧する第２刃部を有し、前記第２刃部を前記有核物質に押圧し、前記第２刃部を前記外層に食い込ませた状態で前記第１押圧回転部に対して逆方向に回転する第２押圧回転部と、を備えてもよい。
【００１３】
このような構成により、有核物質の大きさに関わらず、１回の処理で有核物質から外層を綺麗に除去して核を取り出すことができる。
【００１４】
本発明に係る第２態様の核の取り出し装置においては、前記第１態様における前記第１刃部は、複数の刃を備え、前記第１刃部における前記複数の刃のそれぞれは、前記第１押圧回転部の回転中心軸から前記第１押圧回転部の外縁に向かって配置されると共に、前記回転中心軸に向かって凹む湾曲部を有し、前記第２刃部は、複数の刃を備え、前記第２刃部における前記複数の刃は、前記第２押圧回転部の回転中心軸から前記第２押圧回転部の外縁に向かって配置されると共に、前記回転中心軸に向かって凹む湾曲部を有する。
【００１５】
このような構成により、第１刃部及び第２刃部が、核の表面形状に沿って有核物質の外面を押圧するため、有核物質から外層を綺麗に除去し易くなる。
【００１６】
本発明に係る第３態様の核の取り出し方法は、核を外層で包んだ有核物質から前記核を取り出す方法であって、第１刃部を有する第１押圧回転部と、前記第１押圧回転部に対向して配置され、第２刃部を有する第２押圧回転部と、によって前記有核物質を押圧する工程、前記第１刃部を前記有核物質に押圧し、前記第１刃部を前記外層に食い込ませた状態で前記第１押圧回転部を回転させる工程、および前記第２刃部を前記有核物質に押圧し、前記第２刃部を前記外層に食い込ませた状態で前記第２押圧回転部を、前記第１押圧回転部に対して逆方向に回転させる工程、を含んでもよい。
【００１７】
このような構成により、有核物質から外層を綺麗に除去して容易に核を取り出すことができる。
【００１８】
以下、本発明に係る実施の形態について、添付の図面を参照しながら説明する。また、各図においては、説明を容易なものとするため、各要素を誇張して示している。
【００１９】
（実施の形態１）
［全体構成］
図１は、本発明に係る実施の形態１の核の取り出し装置１の概略図を示す。図１に示すように、核の取り出し装置１は、有核物質４を押圧する第１刃部２ａを有し、第１刃部２ａを有核物質４に押圧し、第１刃部２ａを有核物質４に食い込ませた状態で回転する第１押圧回転部２と、第１押圧回転部２に対向して配置され、有核物質４を押圧する第２刃部３ａを有し、第２刃部３ａを有核物質４に押圧し、第２刃部３ａを有核物質４に食い込ませた状態で第１押圧回転部２に対して逆方向に回転する第２押圧回転部３と、を備える。
【００２０】
実施の形態１においては、有核物質４は、真珠核４ａを真珠層４ｂで包んだ真珠（屑真珠）を用いて説明する。なお、屑真珠とは真珠の製造工程において、真珠核４ａの周りに真珠層４ｂが所望の形状に形成されず、変形して形成された真珠のことを意味する。
【００２１】
＜第１押圧回転部＞
第１押圧回転部２は、円柱状の部材の先端に、真珠４を押圧する第１刃部２ａを有している。第１押圧回転部２は、第２押圧回転部３と共に真珠４を挟持し、第１刃部２ａを真珠４の底部の外面に押圧する。第１押圧回転部２は、第１刃部２ａを真珠４の底部の外面に押圧し、第１刃部２ａを真珠層４ｂに食い込ませた状態で、押圧方向に延びる回転中心軸Ｃ１を中心に回転する。言い換えると、第１押圧回転部２は、第１刃部２ａで真珠４を押圧し、第１刃部２ａを真珠層４ｂに食い込ませた状態で、押圧方向に対してねじる方向に回転する。
【００２２】
図１に示すように、第１刃部２ａは、複数の刃を有している。それぞれの刃は、第１押圧回転部２の回転中心軸Ｃ１から第１押圧回転部２の外縁に向かって延びるように配置されている。具体的には、複数の刃は、第１押圧回転部２の回転中心軸Ｃ１を中心に放射状に配置されている。複数の刃のそれぞれは、回転中心軸Ｃ１に向かって凹む湾曲部を有している。湾曲部は、刃の長手方向に切断した断面が円弧状に凹ませた形状を有している。具体的には、湾曲部は、刃の長手方向に沿って切断した断面が真珠核４ａの半径とほぼ等しい円弧状に凹んだ形状を有している。また、それぞれの刃は、真珠４が配置される側から見て、回転中心軸Ｃ１を中心に所定の角度間隔（例えば、等間隔）で配置されている。実施の形態１において、第１刃部２ａは、４枚の刃を有している。４枚の刃は、真珠４が配置される側から見て、回転中心軸Ｃ１を中心に９０度の角度間隔で配置されている。
【００２３】
＜第２押圧回転部＞
第２押圧回転部３は、円柱状の部材の先端に、真珠４を押圧する第２刃部３ａを有している。第２押圧回転部３は、真珠４を挟んで第１押圧回転部２に対向して配置されている。即ち、第２押圧回転部３は、第１押圧回転部２と対になるものである。第２押圧回転部３は、第２刃部３ａを真珠４の上部の外面に押圧し、第２刃部３ａを真珠層４ｂに食い込ませた状態で、押圧方向に延びる回転中心軸Ｃ１を中心に、第１押圧回転部２に対して逆方向に回転する。即ち、第２押圧回転部３は、第２刃部３ａで真珠４を押圧し、第２刃部３ａを真珠層４ｂに食い込ませた状態で、第１押圧回転部２の回転方向と反対方向に相対回転する。実施の形態１において、第２押圧回転部３の回転中心軸は、第１押圧回転部２の回転中心軸Ｃ１と同じである。なお、第２刃部３ａは、上述した第１刃部２ａと同様の構成を有しているため、説明を省略する。
【００２４】
［核の取り出し方法］
核の取り出し装置１を用いた核の取り出し方法について、図２Ａ、図２Ｂ、及び図２Ｃを用いて説明する。図２Ａ、図２Ｂ、及び図２Ｃは、それぞれ、実施の形態１の核の取り出し方法の押圧工程、回転工程、及び取り出し工程を示す。
【００２５】
まず、押圧工程について説明する。図２Ａに示すように、押圧工程において、第１押圧回転部２と第２押圧回転部３との間に真珠４を挟持し、押圧方向Ｐ１に向かって第２押圧回転部３を押圧する。第２押圧回転部３を押圧方向Ｐ１へ押圧することで、第２押圧回転部３の第２刃部３ａが真珠４の上部の真珠層４ｂを押圧すると共に、第１押圧回転部２の第１刃部２ａが真珠４の底部の真珠層４ｂを押圧する。より具体的には、第２押圧回転部３を押圧方向Ｐ１へ押圧することによって、真珠４の上部において第２刃部３ａの複数の刃を真珠層４ｂに食い込ませてクラックを形成する。同時に、真珠４の底部において第１刃部２ａの複数の刃を真珠層４ｂに食い込ませてクラックを形成する。これらのクラックにより、真珠核４ａから真珠層４ｂが剥離し易くなる。
【００２６】
押圧方向Ｐ１への押圧力については、第１刃部２ａ及び第２刃部３ａが真珠層４ｂに食い込むが、真珠核４ａに接触しない程度の圧力であればよい。即ち、押圧力は、第１刃部２ａ及び第２刃部３ａによって真珠層４ｂにクラックを形成するが、真珠核４ａに傷を付けない程度の圧力であればよい。
【００２７】
次に、回転工程について説明する。図２Ｂに示すように、回転工程において、第１刃部２ａと第２刃部３ａとを真珠４に押圧した状態で、第１押圧回転部２を、回転中心軸Ｃ１を中心に回転方向Ｒ１へ回転させる。同時に、第２押圧回転部３を、回転中心軸Ｃ１を中心に回転方向Ｒ１と逆方向の回転方向Ｒ２へ回転させる。即ち、第１刃部２ａと第２刃部３ａとが真珠層４ｂに食い込んだ状態で、第１押圧回転部２を、回転中心軸Ｃ１を中心に回転させると共に、第２押圧回転部３を第１押圧回転部２に対して逆方向に回転させる。第１押圧回転部２と第２押圧回転部３のそれぞれは、約半周回転させる。第１押圧回転部２の回転及び第２押圧回転部３の回転によって、第１刃部２ａ及び第２刃部３ａのそれぞれにおける複数の刃が、真珠核４ａの外面形状に沿って回動する。このとき、第１刃部２ａと第２刃部３ａとにおけるそれぞれの刃の側面で、真珠層４ｂを回転方向Ｒ１及びＲ２へ押し出すことによって、真珠核４ａから真珠層４ｂを剥離する。
【００２８】
第１押圧回転部２及び第２押圧回転部３の回転角度は、真珠層４ｂを真珠核４ａから剥離させることができる程度の角度である。第１押圧回転部２及び第２押圧回転部３のそれぞれの回転角度は、例えば、約１８０度であってもよい。
【００２９】
最後に、取り出し工程について説明する。図２Ｃに示すように、第２押圧回転部３を方向Ｐ２へ向かって移動させて、真珠層４ｂが剥離した真珠核４ａを取り出す。
【００３０】
［効果］
実施の形態１に係る核の取り出し装置１によれば、以下の効果を奏することができる。
【００３１】
核の取り出し装置１においては、第１押圧回転部２の第１刃部２ａと第２押圧回転部３の第２刃部３ａとによって真珠４を押圧し、第１刃部２ａと第２刃部３ａとを真珠層４ｂに食い込ませた状態で、第１押圧回転部２を、回転中心軸Ｃ１を中心に回転させると共に、第２押圧回転部３を、回転中心軸Ｃ１を中心に第１押圧回転部２に対して逆方向に回転させている。このような構成により、１回の処理で真珠層４ｂを綺麗に除去して真珠核４ａを取り出すことができる。
【００３２】
核の取り出し装置１において、第１刃部２ａと第２刃部３ａのそれぞれは、複数の刃を備えている。第１刃部２ａの複数の刃は、第１押圧回転部２の回転中心軸Ｃ１から第１押圧回転部２の外縁に向かって配置され、回転中心軸Ｃ１に向かって凹む湾曲部を有している。また、第２刃部３ａの複数の刃は、第２押圧回転部３の回転中心軸Ｃ１から第２押圧回転部３の外縁に向かって配置され、回転中心軸Ｃ１に向かって凹む湾曲部を有している。このような構成により、第１刃部２ａと第２刃部３ａとにおける複数の刃が、真珠核４ａの外面の周りを回動して、真珠層４ｂを更に綺麗に除去して真珠核４ａを容易に取り出すことができる。また、第１刃部２ａと第２刃部３ａとにおける複数の刃は、真珠４のガイドとして機能し、第１押圧回転部２及び第２押圧回転部３から真珠４がこぼれ落ちないようにすることができる。
【００３３】
また、第１刃部２ａと第２刃部３ａとにおける複数の刃を、真珠４が配置される側から見て、等間隔で配置することによって、真珠４の外面を複数の刃によって均等に押圧することができる。このため、真珠４の真珠層４ｂ全体にクラックを形成することができ、更に容易に真珠核４ａから真珠層４ｂを剥離することができる。
【００３４】
なお、実施の形態１において、有核物質４は、真珠を用いて説明したが、これに限定されない。有核物質４は、外層４ｂで包まれた核４ａを有する物質であればよく、例えば、銀杏、くるみ、栗等であってもよい。
【００３５】
実施の形態１において、核の取り出し装置１は、図１〜図２Ｃに示すように、鉛直方向に配置して使用する例を説明したが、これに限定されない。核の取り出し装置１は、任意の方向に配置して使用することができ、例えば、水平方向に配置して使用してもよい。
【００３６】
実施の形態１において、第１刃部２ａと第２刃部３ａは、４枚の刃を備える構成について説明したが、これに限定されない。第１刃部２ａと第２刃部３ａは、少なくとも１枚以上の刃を有していればよい。複数の刃は、例えば、８枚であってもよく、回転中心軸Ｃ１を中心にそれぞれ４５度の間隔で配置してもよい。第１刃部２ａと第２刃部３ａは、例えば、Ｕ字状に形成された複数の刃を回転中心軸Ｃ１で交差させることによって形成されてもよい。また、複数の刃は、回転中心軸Ｃ１に向かって凹む湾曲部を有する構成について説明したが、これに限定されない。複数の刃は、押圧された状態で真珠層４ｂに食い込むが、真珠核４ａに接触しない形状であればよい。
【００３７】
実施の形態１において、第１刃部２ａと第２刃部３ａは、同様の構成である例について説明したが、これに限定されない。第１刃部２ａと第２刃部３ａは、異なる構成であってもよい。例えば、第１刃部２ａが４枚の刃を備え、第２刃部３ａが１枚の刃を備える構成であってもよい。
【００３８】
実施の形態１において、第１刃部２ａのそれぞれの刃は、第１押圧回転部２の回転中心軸Ｃ１を中心に放射状に配置される例について説明したが、これに限定されない。第１刃部２ａのそれぞれの刃は、例えば、螺旋状に配置されていてもよい。
【００３９】
実施の形態１において、押圧工程において、第２押圧回転部３を押圧方向Ｐ１へ押圧する例を説明したが、これに限定されない。押圧工程は、例えば、第１押圧回転部２を真珠４に対して押圧してもよいし、第１押圧回転部２と第２押圧回転部３との両方を真珠４に対して押圧してもよい。
【００４０】
実施の形態１において、第１押圧回転部２と第２押圧回転部３の回転中心軸Ｃ１は、同じである例を説明したが、これに限定されない。第１押圧回転部２の回転中心軸と第２押圧回転部３の回転中心軸は、異なっていてもよい。
【００４１】
核の取り出し装置１は、手動により第１押圧回転部２及び第２押圧回転部３を操作する手動式の装置であってもよい。また、核の取り出し装置１は、第１押圧回転部２及び第２押圧回転部３にモータ又はシリンダ等の駆動部品を取り付けてもよい。制御部によりこれらの駆動部品を駆動制御することによって、真珠４の供給、真珠層４ｂの剥離、及び真珠核４ａの取り出し等のすべての動作を自動化してもよいし、又はこれらの少なくとも一部の動作を自動化してもよい。
【００４２】
本発明は、添付図面を参照しながら好ましい実施形態に関連して充分に記載されているが、この技術の熟練した人々にとっては種々の変形や修正は明白である。そのような変形や修正は、添付した特許請求の範囲による本発明の範囲から外れない限りにおいて、その中に含まれると理解されるべきである。
【産業上の利用可能性】
【００４３】
本発明は、有核物質から外層を除去して核を取り出す装置及び取り出し方法に関する発明であり、例えば、屑真珠等から真珠層を除去して真珠核を取り出す場合に有用である。
【符号の説明】
【００４４】
１  核の取り出し装置
２  第１押圧回転部
２ａ  第１刃部
３  第２押圧回転部
３ａ  第２刃部
４  有核物質（真珠）
４ａ  核（真珠核）
４ｂ  外層（真珠層）
Ｐ１  押圧方向
Ｃ１  回転中心軸
Ｒ１、Ｒ２  回転方向
【図１】
2017051129.tif 000003
【図２Ａ】
2017051129.tif 000004
【図２Ｂ】
2017051129.tif 000005
【図２Ｃ】
2017051129.tif 000006